(57)【要約】【課題】遊技の間延びを抑制して興趣を向上する。【解決手段】開閉部材２２０によって開閉される大入賞口２０２と、大入賞口内に互いに並列して設けられた第１通路２２２および第２通路２２４と、第１通路および第２通路のそれぞれに設けられ、遊技球を検知する複数のセンサＳと、を備える。第１通路および第２通路の間には、遊技球が転動可能であって、水平方向に対して傾斜した第１誘導面２２６を備える。第１誘導面の端部２２６ａよりも左方に落下した遊技球は第１通路に進入し、この端部よりも右方に落下した遊技球は第２通路に進入する。【選択図】図４
2018126302.tif 000002
【特許請求の範囲】
【請求項１】
遊技球が流下する遊技領域が形成された遊技盤と、
前記遊技領域に設けられ、開閉部材によって開閉される入賞口と、
前記入賞口内に互いに並列して設けられた複数の通路と、
複数の前記通路のそれぞれに設けられ、遊技球を検知する複数のセンサと、
を備える遊技機。
【請求項２】
前記開閉部材は、遊技球が転動可能であって、水平方向に対して傾斜した転動面を有し、
複数の前記通路は、前記転動面の鉛直下方に位置し、水平方向に互いに離隔して配される第１通路および第２通路を含む請求項１に記載の遊技機。
【請求項３】
前記第１通路および前記第２通路の間に、遊技球が転動可能であって、水平方向に対して傾斜した第１誘導面を備える請求項２に記載の遊技機。
【請求項４】
前記第２通路を挟んで前記第１誘導面と反対側であって、前記転動面の鉛直下方に位置する第２誘導面を備え、
前記第１誘導面は、前記第２通路側の端部が前記第１通路側の端部よりも上方に位置し、
前記第２誘導面は、前記第２通路側の端部が最も下方であって、前記第１誘導面のうち前記第２通路側の端部よりも下方に位置する請求項３に記載の遊技機。
【発明の詳細な説明】
【技術分野】
【０００１】
本発明は、開閉部材によって開閉される入賞口を備える遊技機に関する。
【背景技術】
【０００２】
従来、始動口に遊技球が入球したことを条件として大役抽選が行われ、大役抽選により大当たりに当選すると、大役遊技が実行される遊技機が知られている。遊技領域には、例えば特許文献１に示されるように、開閉部材により開閉される大入賞口を備えたアタッカーユニットが設けられている。大役遊技中は、大入賞口が開放され、大入賞口に遊技球が入球すると、所定数の賞球が遊技者に払い出される。
【０００３】
また、例えば特許文献２に示されるように、大入賞口内に確変領域が設けられ、大役遊技中に確変領域に遊技球が進入すると、遊技状態が確変状態となる遊技機が知られている。
【先行技術文献】
【特許文献】
【０００４】
【特許文献１】特開２０１６−８７３１９号公報
【特許文献２】特開２０１４−１０４２０４号公報
【発明の概要】
【発明が解決しようとする課題】
【０００５】
上記の大入賞口のように、開閉部材によって開閉制御される入賞口には、遊技球を検知するセンサが設けられている。各入賞口には、１回の開放に対する遊技球の上限数が予め設定されており、上限数の遊技球がセンサによって検知されると、開閉部材によって入賞口が閉鎖される。
【０００６】
通常、入賞口の閉鎖後は待機期間が設定され、この待機期間中にセンサによって遊技球が検知された場合には、適切な入球であると判定される。一方、待機期間の経過後にセンサによって遊技球が検知された場合には、不適切な入球であると判定され、所定のエラー処理が実行される。
【０００７】
このとき、入賞口の開口からセンサまでの距離が大きいと、遊技球が入賞口に入球してから、センサが遊技球を検知するまでの時間が長くなってしまう。そのため、待機期間を長く設定する必要があり、遊技が間延びして興趣が低下するという課題がある。
【０００８】
本発明は、遊技の間延びを抑制して興趣を向上することができる遊技機を提供することを目的とする。
【課題を解決するための手段】
【０００９】
上記課題を解決するために、本発明の遊技機は、遊技球が流下する遊技領域が形成された遊技盤と、前記遊技領域に設けられ、開閉部材によって開閉される入賞口と、前記入賞口内に互いに並列して設けられた複数の通路と、複数の前記通路のそれぞれに設けられ、遊技球を検知する複数のセンサと、を備える。
【００１０】
また、前記開閉部材は、遊技球が転動可能であって、水平方向に対して傾斜した転動面を有し、複数の前記通路は、前記転動面の鉛直下方に位置し、水平方向に互いに離隔して配される第１通路および第２通路を含むとよい。
【００１１】
また、前記第１通路および前記第２通路の間に、遊技球が転動可能であって、水平方向に対して傾斜した第１誘導面を備えるとよい。
【００１２】
また、前記第２通路を挟んで前記第１誘導面と反対側であって、前記転動面の鉛直下方に位置する第２誘導面を備え、前記第１誘導面は、前記第２通路側の端部が前記第１通路側の端部よりも上方に位置し、前記第２誘導面は、前記第２通路側の端部が最も下方であって、前記第１誘導面のうち前記第２通路側の端部よりも下方に位置するとよい。
【発明の効果】
【００１３】
本発明によれば、遊技の間延びを抑制して興趣を向上することができる。
【図面の簡単な説明】
【００１４】
【図１】扉が開放された状態を示す遊技機の斜視図である。
【図２】遊技機の正面図である。
【図３】アタッカーユニットの正面図である。
【図４】アタッカーユニットにおける遊技球の転動方向を説明する図である。
【発明を実施するための形態】
【００１５】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１６】
図１は、本実施形態の遊技機１００の斜視図であり、扉が開放された状態を示している。図示のように、遊技機１００は、略矩形状に組まれた四辺によって囲繞空間が形成される外枠１０２と、この外枠１０２にヒンジ機構によって開閉自在に取り付けられた中枠１０４と、この中枠１０４に、ヒンジ機構によって開閉自在に取り付けられた前枠１０６と、を備えている。
【００１７】
中枠１０４は、外枠１０２と同様に、略矩形状に組まれた四辺によって囲繞空間が形成されており、この囲繞空間に遊技盤１０８が保持されている。また、前枠１０６には、ガラス製または樹脂製の透過板１１０が保持されている。そして、これら中枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１８】
図２は、遊技機１００の正面図である。この図に示すように、前枠１０６の下部には、遊技機１００の正面側に突出する操作ハンドル１１２が設けられている。この操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、遊技盤１０８に設けられたレール１１４ａ、１１４ｂ間を上昇して遊技領域１１６に導かれることとなる。
【００１９】
遊技領域１１６は、遊技盤１０８と透過板１１０との間隔に形成される空間であって、遊技球が流下または転動可能な領域である。遊技盤１０８には、多数の釘や風車（不図示）が設けられており、遊技領域１１６に導かれた遊技球が釘や風車に衝突して、不規則な方向に流下、転動するようにしている。
【００２０】
遊技領域１１６は、発射機構の発射強度に応じて遊技球の進入度合いを互いに異にし、遊技球の打ち分けが可能な第１遊技領域１１６ａおよび第２遊技領域１１６ｂを備えている。第１遊技領域１１６ａは、遊技機１００に正対した遊技者から見て遊技領域１１６の左側に位置し、第２遊技領域１１６ｂは、遊技機１００に正対した遊技者から見て遊技領域１１６の右側に位置している。レール１１４ａ、１１４ｂが遊技領域１１６の左側にあることから、発射機構によって所定の強度未満の発射強度で発射された遊技球は第１遊技領域１１６ａに進入し、所定の強度以上の発射強度で発射された遊技球は第２遊技領域１１６ｂに進入することとなる。
【００２１】
また、遊技領域１１６には、遊技球が入球可能な一般入賞口１１８および始動口１２０が設けられており、これら一般入賞口１１８および始動口１２０に遊技球が入球すると、それぞれ所定の賞球が遊技者に払い出される。なお、詳しい説明は省略するが、始動口１２０に遊技球が入球すると、遊技者に所定の遊技利益を付与するか否かを決定する大役抽選が行われ、この大役抽選で大当たりに当選すると大役遊技が実行される。
【００２２】
大役遊技は、複数回のラウンド遊技で構成されており、各ラウンド遊技中は、アタッカーユニット２００に設けられた大入賞口２０２が開放される。各ラウンド遊技は、その開始から所定時間が経過するか、もしくは、予め設定された上限数の遊技球が大入賞口２０２に入球すると終了する。大入賞口２０２に遊技球が入球すると、所定数の賞球が遊技者に払い出されることから、大役遊技の実行により、遊技者は多量の賞球を獲得することができる。なお、遊技領域１１６の最下部には排出口１２２が設けられており、一般入賞口１１８、始動口１２０、大入賞口２０２のいずれにも入球しなかった遊技球は、排出口１２２から遊技盤１０８の背面側に排出される。
【００２３】
図３は、アタッカーユニット２００の正面図である。アタッカーユニット２００は、遊技盤１０８に固定される略長方形状の平面部２１０を備えている。平面部２１０の四隅にはビス孔２１２が形成されており、このビス孔２１２が遊技盤１０８にビス止めされることで、アタッカーユニット２００が遊技盤１０８に固定される。なお、アタッカーユニット２００が遊技盤１０８に固定された状態では、遊技盤１０８の正面と、平面部２１０の正面とが略面一となる。
【００２４】
また、アタッカーユニット２００は、平面部２１０に対向する不図示の化粧板を備えている。この化粧板は、平面部２１０との間に形成される間隙を遊技球が通過可能となるように、平面部２１０に対して遊技球の直径以上に離隔している。そして、平面部２１０には、正面側すなわち化粧板側に略垂直に起立する区画壁部２１４が設けられており、平面部２１０、化粧板、区画壁部２１４によって、遊技球が転動する面や通路が形成されている。
【００２５】
図３においては、理解を容易とするため、平面部２１０から起立する区画壁部２１４を太線で示している。平面部２１０の上部には、区画壁部２１４により傾斜面２１６、２１８が形成されている。傾斜面２１６、２１８は、鉛直上方に臨む面であり、図示のように左下がりに傾斜している。したがって、遊技領域１１６を上方から傾斜面２１６、２１８に向けて落下した遊技球は、傾斜面２１６、２１８上を左下方に向けて転動することとなる。
【００２６】
また、傾斜面２１６と傾斜面２１８とは、互いに水平方向に離隔して設けられており、傾斜面２１８は、傾斜面２１６よりも鉛直下方に位置している。そして、傾斜面２１６と傾斜面２１８との間に、上記の大入賞口２０２が形成されている。大入賞口２０２は、鉛直上方に向けて開口する開口部２０２ａを備える穴であり、開閉部材２２０によって開閉される。
【００２７】
開閉部材２２０は、遊技球が転動可能であって、水平方向に対して傾斜した転動面２２０ａを有する平板部材で構成されている。転動面２２０ａは、鉛直上方に臨み、傾斜面２１６と同様に、左下がりに傾斜している。開閉部材２２０は、不図示のアクチュエータ（ソレノイド）により、平面部２１０に形成された貫通孔から、遊技機１００の前後方向（正面方向）に出没する。通常はアクチュエータが未通電状態に維持されており、開閉部材２２０は、不図示のばね等からなる付勢部材により、平面部２１０の貫通孔よりも正面側に突出した位置に保持され、大入賞口２０２を閉鎖している。
【００２８】
このように、開閉部材２２０によって大入賞口２０２が閉鎖された状態では、鉛直上方から転動面２２０ａ上に落下した遊技球や、傾斜面２１６から転動面２２０ａ上に流下した遊技球は、転動面２２０ａ上を左下方に向けて転動し、その後、遊技領域１１６をさらに下方に向けて流下することになる。
【００２９】
これに対して、上記のラウンド遊技中、アクチュエータが通電されると、開閉部材２２０は、平面部２１０の貫通孔よりも背面側に没入した位置に保持され、大入賞口２０２が開放される。このように、大入賞口２０２が開放された状態では、鉛直上方から落下する遊技球や、傾斜面２１６上を転動する遊技球が、開口部２０２ａから大入賞口２０２に入球することになる。
【００３０】
そして、大入賞口２０２内には、区画壁部２１４によって、第１通路２２２および第２通路２２４が形成されている。第１通路２２２および第２通路２２４は、鉛直方向に延在する通路であり、大入賞口２０２内に互いに並列して設けられている。より具体的には、第１通路２２２および第２通路２２４は、転動面２２０ａ（開閉部材２２０）の鉛直下方に位置しており、水平方向に互いに離隔して配されている。
【００３１】
第１通路２２２の下端には、平面部２１０に形成された排出孔２２２ａが開口しており、第１通路２２２を流下する遊技球は、最終的に排出孔２２２ａを介して遊技盤１０８の背面側に排出される。また、第２通路２２４の下端は、第１通路２２２側に向けて屈曲して形成されている。この第２通路２２４の下端には、平面部２１０に形成された排出孔２２４ａが開口しており、第２通路２２４を流下する遊技球は、最終的に排出孔２２４ａを介して遊技盤１０８の背面側に排出される。
【００３２】
そして、第１通路２２２および第２通路２２４には、それぞれ遊技球を検知するセンサＳが設けられている。センサＳは、第１通路２２２または第２通路２２４に進入した遊技球を即座に検知できるように、第１通路２２２および第２通路２２４の上端近傍に配されている。つまり、大入賞口２０２に入球した遊技球は、第１通路２２２および第２通路２２４のいずれかに択一的に進入し、センサＳによって検知された後に、排出孔２２２ａまたは排出孔２２４ａから排出されることとなる。
【００３３】
また、大入賞口２０２内には、区画壁部２１４によって、鉛直上方に臨む第１誘導面２２６および第２誘導面２２８が形成されている。第１誘導面２２６および第２誘導面２２８は、遊技球が転動可能であって、水平方向に対して傾斜している。より詳細には、第１誘導面２２６は、第１通路２２２および第２通路２２４の間に位置しており、第２通路２２４側の端部２２６ａが第１通路２２２側の端部２２６ｂよりも上方に位置している。つまり、第１誘導面２２６は、傾斜面２１６、２１８および転動面２２０ａと同様に、左下がりに傾斜している。
【００３４】
また、第２誘導面２２８は、第２通路２２４を挟んで第１誘導面２２６（第１通路２２２）と反対側であって、転動面２２０ａ（開閉部材２２０）の鉛直下方に位置している。第２誘導面２２８は、第２通路２２４側の端部２２８ａが最も下方に位置し、第２通路２２４から離隔するにしたがって上方に位置するように傾斜している。つまり、第２誘導面２２８は、第１誘導面２２６と同様に、左下がりに傾斜している。また、第２誘導面２２８は、第１誘導面２２６のうち第２通路２２４側の端部２２６ａよりも下方に位置している。
【００３５】
なお、平面部２１０には、正面側（化粧板側）に隆起する隆起部２３０が多数形成されている。この隆起部２３０は、例えば、開閉部材２２０の上方や、傾斜面２１８よりも左側、さらには、第２通路２２４内にそれぞれ複数形成されている。隆起部２３０は、各部位において、遊技球の転動方向に沿って複数配列されており、遊技球の転動、流下速度を減速させる役割を担っている。また、複数の遊技球が連続的に第１通路２２２や第２通路２２４に流れ込んだ場合にも球詰まりが発生しないように、第１通路２２２や第２通路２２４の入り口近傍にも隆起部２３０が設けられている。
【００３６】
さらに、第２誘導面２２８と開閉部材２２０との間には、平面部２１０から化粧板側に隆起するリブ２３２ａが設けられている。また、リブ２３２ａの下方には、図中破線で示すように、化粧板側から平面部２１０側に隆起するリブ２３２ｂが設けられている。したがって、第２誘導面２２８に向かって落下する遊技球は、リブ２３２ａ、２３２ｂに衝突して遊技機１００の前後方向に蛇行し、十分に減速されて第２誘導面２２８に到達することとなる。
【００３７】
図４は、アタッカーユニット２００における遊技球の転動方向を説明する図である。開閉部材２２０により大入賞口２０２が閉鎖された状態では、図４（ａ）に示すように、傾斜面２１６や転動面２２０ａ上に遊技球が落下する。傾斜面２１６上に落下した遊技球は、傾斜面２１６の傾斜により開閉部材２２０の転動面２２０ａ上に導かれる。転動面２２０ａは、上記のように左下がりに傾斜しているため、転動面２２０ａ上に導かれた遊技球は、さらに転動面２２０ａを左方に転動する。このとき、転動面２２０ａ上を転動する遊技球は、隆起部２３０に衝突して減速された後に、傾斜面２１８の左方から鉛直方向に落下する。また、遊技球は、鉛直方向に落下する過程でも隆起部２３０によって減速されるため、遊技球の衝突による各種部品の損傷を低減することができる。
【００３８】
また、転動面２２０ａ上では、隆起部２３０への衝突により遊技球が減速されるため、転動面２２０ａ上に遊技球が滞留する時間を長くすることができる。これにより、開閉部材２２０を作動させて大入賞口２０２を一瞬のみ開放した際に、転動面２２０ａ上を転動している遊技球を大入賞口２０２に入球させることができる。このように、大入賞口２０２の開放時間が短い場合にも、転動面２２０ａ上を転動している遊技球を大入賞口２０２に入球させることが可能となる。したがって、大入賞口２０２の開放時間を短時間に設定したとしても、大入賞口２０２に遊技球が全く入球しないといった事態が生じにくくなる。
【００３９】
また、開閉部材２２０により大入賞口２０２が開放された状態では、図４（ｂ）に示すように、傾斜面２１６から大入賞口２０２内に遊技球が入球したり、大入賞口２０２に上方から遊技球が直接入球したりする。このとき、第１誘導面２２６の端部２２６ａよりも左方に落下した遊技球は、第１誘導面２２６上を転動して第１通路２２２に導かれる。一方、第２誘導面２２８上を転動する遊技球、すなわち、第１誘導面２２６の端部２２６ａよりも右方に落下した遊技球は、第２通路２２４に導かれる。
【００４０】
従来の一般的な遊技機では、例えば、大入賞口２０２内に第１通路２２２のみが設けられている。本実施形態では、大入賞口２０２内に、第１通路２２２と第２通路２２４とが並列して設けられることにより、従来に比して、センサＳまでの最大距離を短縮することができる。これにより、大入賞口２０２に入球した遊技球がセンサＳによって検知されるまでの時間が短縮され、大入賞口２０２の閉鎖後に設定される待機期間を短くすることが可能となり、遊技の間延びを防止して興趣の低下を抑制することができる。
【００４１】
また、第２誘導面２２８上に落下した遊技球が、第２誘導面２２８への衝突の勢いで第２通路２２４を乗り越えてしまい、第１誘導面２２６を転動して第１通路２２２に進入するおそれがある。この場合には、大入賞口２０２内における遊技球の転動距離が長くなり、センサＳによって遊技球が検知されるまでの時間が長くなってしまう。本実施形態では、第２誘導面２２８の端部２２８ａを、第１誘導面２２６の端部２２６ａよりも下方に位置させており、また、第２誘導面２２８の上方にリブ２３２ａ、２３２ｂが設けられている。これにより、第２誘導面２２８を転動する遊技球が、第２通路２２４を乗り越えて第１誘導面２２６に導かれるおそれが低減され、大入賞口２０２内における遊技球の転動距離を短くすることができる。
【００４２】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４３】
上記実施形態では、大入賞口２０２内に第１通路２２２および第２通路２２４の２つの通路を並列して設けることとしたが、センサＳが設けられる３以上の通路を並列して設けてもよい。
また、上記実施形態では、入賞口の一例として大入賞口２０２を用いて説明したが、本発明は、所謂電チュー等、開閉部材によって開閉される入賞口に広く適用可能である。
また、上記実施形態における第１通路２２２、第２通路２２４、第１誘導面２２６、第２誘導面２２８の配置や傾斜方向等は一例にすぎず、適宜設計変更可能であることは言うまでもない。
【符号の説明】
【００４４】
１００  遊技機
１０８  遊技盤
１１６  遊技領域
２０２  大入賞口
２２０  開閉部材
２２０ａ  転動面
２２２  第１通路
２２４  第２通路
２２６  第１誘導面
２２６ａ、２２６ｂ、２２８ａ  端部
２２８  第２誘導面
Ｓ  センサ
【図１】
2018126302.tif 000003
【図２】
2018126302.tif 000004
【図３】
2018126302.tif 000005
【図４】
2018126302.tif 000006